(57)【要約】  選択肢が表示されているサイズよりも、選択肢に対応付けられるタッチセンサにおける領域である対応領域を大きく設定した場合に、互いに異なる選択肢に対応付けられる対応領域が重なっても、ユーザにより選択された選択肢を適切に特定できるようにする。処理実行部（５２）は、表示部に選択肢が表示されるよう制御する。選択肢特定部（５６）は、タッチセンサでの検出位置に対応付けられる表示部内の位置である検出対応位置が、選択肢が表示されている領域が含まれる領域である対応領域が複数の選択肢について重なる領域内である場合に、検出対応位置と当該複数の選択肢のそれぞれについての対応領域との位置関係に基づいて、当該複数の選択肢のうちのいずれかを特定する。
2013089012.tif 000002
【特許請求の範囲】
【請求項１】
表示手段に選択肢が表示されるよう制御する表示制御手段と、
タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定手段と、
を含むことを特徴とする情報処理装置。
【請求項２】
前記選択肢特定手段は、前記検出対応位置が、前記対応領域が複数の選択肢について重なる領域内である場合に、当該複数の選択肢のうちから、前記検出対応位置から前記対応領域内の代表図形までの長さが最も短い選択肢を特定する、
ことを特徴とする請求項１に記載の情報処理装置。
【請求項３】
前記選択肢特定手段は、前記検出対応位置が、前記対応領域が複数の選択肢について重なる領域内である場合に、当該複数の選択肢のうちから、表示されている領域のサイズが最も小さな選択肢、又は、対応領域のサイズが最も小さな選択肢を特定する、
ことを特徴とする請求項１に記載の情報処理装置。
【請求項４】
前記選択肢特定手段は、前記検出対応位置が、前記対応領域が複数の選択肢について重なる領域内である場合に、当該複数の選択肢のうちから、前記検出対応位置から前記対応領域内の代表図形までの長さと、表示されている領域のサイズ又は対応領域のサイズと、に基づいて算出される評価値における評価が最も高い選択肢を特定し、
前記評価値は、前記検出対応位置から前記対応領域内の代表図形までの長さが短いほど評価が高くなり、表示されている領域のサイズ又は対応領域のサイズが小さいほど評価が高くなるよう算出される、
ことを特徴とする請求項１に記載の情報処理装置。
【請求項５】
前記検出対応位置は、前記タッチセンサでの検出位置を前記表示手段に投影した位置が上側として設定されている向きに補正された位置である、
ことを特徴とする請求項１から４のいずれか一項に記載の情報処理装置。
【請求項６】
前記タッチセンサでの検出位置を前記表示手段に投影した位置が、前記表示手段の左側であるか右側であるかによって、前記投影した位置に対する前記検出対応位置の向きが異なる、
ことを特徴とする請求項１から５のいずれか一項に記載の情報処理装置。
【請求項７】
前記表示手段の縁からの距離が所定値以内である領域については、前記検出対応位置と、前記タッチセンサでの検出位置を前記表示手段に投影した位置と、の間の距離が、縁に近づくほど短くなる、
ことを特徴とする請求項５又は６に記載の情報処理装置。
【請求項８】
前記タッチセンサとして、前記表示手段と重なる前面タッチセンサと、前記前面タッチセンサに対向して配置される背面タッチセンサと、を備えており、
選択肢が表示されている領域のサイズに対する選択肢に対応する対応領域のサイズの比率は、前記前面タッチセンサで物体の位置が検出された場合よりも、前記背面タッチセンサで物体の位置が検出された場合の方が大きくなる、
ことを特徴とする請求項１から７のいずれか一項に記載の情報処理装置。
【請求項９】
表示部と、
タッチセンサと、
制御部と、を含み、
前記制御部は、
前記表示部に選択肢が表示されるよう制御し、
前記タッチセンサでの検出位置に対応付けられる前記表示部内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する、
ことを特徴とする情報処理装置。
【請求項１０】
表示手段に選択肢が表示されるよう制御する表示制御ステップと、
タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定ステップと、
を含むことを特徴とする情報処理方法。
【請求項１１】
表示手段に選択肢が表示されるよう制御する表示制御手段、
タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定手段、
としてコンピュータを機能させることを特徴とするプログラム。
【請求項１２】
表示手段に選択肢が表示されるよう制御する表示制御手段、
タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定手段、
としてコンピュータを機能させることを特徴とするプログラムを記憶したコンピュータ読み取り可能な情報記憶媒体。
【発明の詳細な説明】
【技術分野】
【０００１】
本発明は、情報処理装置、情報処理方法、プログラム及び情報記憶媒体に関する。
【背景技術】
【０００２】
タッチセンサを、操作入力のためのデバイスとして備えた情報処理装置が存在する。
【発明の概要】
【発明が解決しようとする課題】
【０００３】
例えば、表示部に多くの選択肢を配置する必要がある、表示部のサイズが小さい、などといった事情により、表示部に表示される選択肢が、ユーザがうまく選択操作を行えないほど小さくなってしまうことがある。【０００４】
ここで、タッチセンサにおける選択肢に対応付けられる領域である対応領域のサイズを、選択肢が表示されているサイズよりも大きくして、ユーザが選択肢の選択操作を行いやすいようにすることが考えられる。しかし、このようにすると、複数の選択肢がそもそも重なって配置されている場合や、複数の選択肢が近接して配置されている場合などに、互いに異なる選択肢に対応付けられる対応領域が重なってしまう状況が発生するおそれがある。このような状況となった際には、複数の選択肢のうちのどの選択肢がユーザにより選択されたのかが適切に特定される必要がある。【０００５】
本発明は上記課題に鑑みてなされたものであって、その目的の１つは、選択肢が表示されているサイズよりも、選択肢に対応付けられるタッチセンサにおける領域である対応領域を大きく設定した場合に、互いに異なる選択肢に対応付けられる対応領域が重なっても、ユーザにより選択された選択肢を適切に特定できるようにすることにある。
【課題を解決するための手段】
【０００６】
上記課題を解決するために、本発明に係る情報処理装置は、表示手段に選択肢が表示されるよう制御する表示制御手段と、タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定手段と、を含むことを特徴とする。【０００７】
また、本発明に係る別の情報処理装置は、表示部と、タッチセンサと、制御部と、を含み、前記制御部は、前記表示部に選択肢が表示されるよう制御し、前記タッチセンサでの検出位置に対応付けられる前記表示部内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定することを特徴とする。【０００８】
また、本発明に係る情報処理方法は、表示手段に選択肢が表示されるよう制御する表示制御ステップと、タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定ステップと、を含むことを特徴とする。【０００９】
また、本発明に係るプログラムは、表示手段に選択肢が表示されるよう制御する表示制御手段、タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定手段、としてコンピュータを機能させることを特徴とする。【００１０】
また、本発明に係る情報記憶媒体は、表示手段に選択肢が表示されるよう制御する表示制御手段、タッチセンサでの検出位置に対応付けられる前記表示手段内の位置である検出対応位置が、選択肢が表示されている領域が含まれる領域である対応領域が複数の選択肢について重なる領域内である場合に、前記検出対応位置と当該複数の選択肢のそれぞれについての対応領域との位置関係に基づいて、当該複数の選択肢のうちのいずれかを特定する選択肢特定手段、としてコンピュータを機能させることを特徴とするプログラムを記憶したコンピュータ読み取り可能な情報記憶媒体である。【００１１】
本発明では、検出対応位置が、対応領域が複数の選択肢について重なる領域内であっても、検出対応位置と対応領域との位置関係に基づいていずれかの選択肢が特定される。このようにして、本発明によれば、選択肢が表示されているサイズよりも、選択肢に対応付けられるタッチセンサにおける領域である対応領域を大きく設定した場合に、互いに異なる選択肢に対応付けられる対応領域が重なっても、ユーザにより選択された選択肢が適切に特定されることとなる。【００１２】
本発明の一態様では、前記選択肢特定手段は、前記検出対応位置が、前記対応領域が複数の選択肢について重なる領域内である場合に、当該複数の選択肢のうちから、前記検出対応位置から前記対応領域内の代表図形までの長さが最も短い選択肢を特定することを特徴とする。【００１３】
また、本発明の一態様では、前記選択肢特定手段は、前記検出対応位置が、前記対応領域が複数の選択肢について重なる領域内である場合に、当該複数の選択肢のうちから、表示されている領域のサイズが最も小さな選択肢、又は、対応領域のサイズが最も小さな選択肢を特定することを特徴とする。【００１４】
また、本発明の一態様では、前記選択肢特定手段は、前記検出対応位置が、前記対応領域が複数の選択肢について重なる領域内である場合に、当該複数の選択肢のうちから、前記検出対応位置から前記対応領域内の代表図形までの長さと、表示されている領域のサイズ又は対応領域のサイズと、に基づいて算出される評価値における評価が最も高い選択肢を特定し、前記評価値は、前記検出対応位置から前記対応領域内の代表図形までの長さが短いほど評価が高くなり、表示されている領域のサイズ又は対応領域のサイズが小さいほど評価が高くなるよう算出されることを特徴とする。【００１５】
また、本発明の一態様では、前記検出対応位置は、前記タッチセンサでの検出位置を前記表示手段に投影した位置が上側として設定されている向きに補正された位置であることを特徴とする。【００１６】
また、本発明の一態様では、前記タッチセンサでの検出位置を前記表示手段に投影した位置が、前記表示手段の左側であるか右側であるかによって、前記投影した位置に対する前記検出対応位置の向きが異なることを特徴とする。【００１７】
また、本発明の一態様では、前記表示手段の縁からの距離が所定値以内である領域については、前記検出対応位置と、前記タッチセンサでの検出位置を前記表示手段に投影した位置と、の間の距離が、縁に近づくほど短くなることを特徴とする。【００１８】
また、本発明の一態様では、前記タッチセンサとして、前記表示手段と重なる前面タッチセンサと、前記前面タッチセンサに対向して配置される背面タッチセンサと、を備えており、選択肢が表示されている領域のサイズに対する選択肢に対応する対応領域のサイズの比率は、前記前面タッチセンサで物体の位置が検出された場合よりも、前記背面タッチセンサで物体の位置が検出された場合の方が大きくなることを特徴とする。
【図面の簡単な説明】
【００１９】
【図１Ａ】本発明の一実施形態に係る情報処理装置の外観の一例を示す斜視図である。
【図１Ｂ】本発明の一実施形態に係る情報処理装置の外観の一例を示す斜視図である。
【図２】本発明の一実施形態に係る情報処理装置のハードウェア構成の一例を示す構成図である。
【図３】本発明の一実施形態に係る情報処理装置で実現される機能の一例を示す機能ブロック図である。
【図４】表示部に表示される画面の一例を示す図である。
【図５】表示部に表示される画面の別の一例を示す図である。
【図６】表示部に表示される画面のさらに別の一例を示す図である。
【図７】ユーザが前面タッチセンサを親指で操作する状況を本発明の一実施形態に係る情報処理装置の正面から見た様子の一例を示す図である。
【図８】ユーザが背面タッチセンサを中指で操作する状況を本発明の一実施形態に係る情報処理装置の背面から見た様子の一例を示す図である。
【発明を実施するための形態】
【００２０】
以下、本発明の一実施形態について図面に基づき詳細に説明する。
【００２１】
図１Ａ及び図１Ｂは、本発明の一実施形態に係る情報処理装置１０の外観を示す斜視図であって、図１Ａは情報処理装置１０を前面側から見た様子を、図１Ｂは背面側から見た様子を、それぞれ示している。図２は、図１Ａ及び図１Ｂに示す情報処理装置１０のハードウェア構成の一例を示す構成図である。本実施形態に係る情報処理装置１０は、例えば携帯型ゲーム機等の可搬型のデバイスであるものとする。
【００２２】
図１Ａ及び図１Ｂに示すように、本実施形態に係る情報処理装置１０の筐体１２は、全体として平板状の形状をしている。以下では、筐体１２の横方向（幅方向）をＸ軸方向、縦方向（高さ方向）をＹ軸方向とし、厚さ方向（奥行き方向）をＺ軸方向とする。また、本実施形態では、筐体１２の前面から見て左から右へ向かう方向がＸ軸正方向、筐体１２の前面から見て下から上へ向かう方向がＹ軸正方向、筐体１２の背面から前面へ向かう方向がＺ軸正方向となっている。図１Ａ、図１Ｂ及び図２に示すように、本実施形態に係る情報処理装置１０は、制御部２０、記憶部２２、通信部２４、画像処理部２６、表示部２８、タッチセンサ３０（本実施形態では、前面タッチセンサ３０ａ、及び、背面タッチセンサ３０ｂ）、操作部３２、カードスロット３４、方向検出部３６、などを含んで構成される。これらの要素は、バスを介して接続される。
【００２３】
制御部２０は、例えばＣＰＵ等であって、記憶部２２に格納されているプログラムに従って、各種の情報処理を実行する。記憶部２２は、例えばＲＡＭやＲＯＭ等のメモリ素子などであって、制御部２０によって実行されるプログラムや各種のデータを格納する。また、記憶部２２は、制御部２０のワークメモリとしても機能する。通信部２４は、例えば、ネットワークインタフェースなど（具体的には、例えば、無線ＬＡＮモジュール）であり、制御部２０から入力される指示に従って、他の情報処理装置１０や、インターネット上のサーバ（図示せず）などへ情報を送信する。また、この通信部２４は、受信される情報を制御部２０に出力する。
【００２４】
画像処理部２６は、例えばＧＰＵとフレームバッファメモリとを含んで構成され、制御部２０が出力する指示に従って、表示部２８に表示する画像を描画する。具体例として、画像処理部２６は表示部２８の表示領域に対応したフレームバッファメモリを備え、ＧＰＵは、制御部２０からの指示に従って、所定時間おきにこのフレームバッファメモリに対して画像を書き込む。そして、このフレームバッファメモリに書き込まれた画像が、所定のタイミングでビデオ信号に変換されて、表示部２８に表示される。
【００２５】
本実施形態に係る表示部２８は、例えば、液晶表示パネルや有機ＥＬ表示パネル等、各種の画像表示デバイスである。本実施形態に係るタッチセンサ３０は、所定の時間間隔で、検出面上における物体の接触を順次検出するセンサである。本実施形態に係る情報処理装置１０は、２つのタッチセンサ３０（前面タッチセンサ３０ａ及び背面タッチセンサ３０ｂ）を備えている。
【００２６】
本実施形態に係る情報処理装置１０の筐体１２の前面には、表示部２８と前面タッチセンサ３０ａとが一体となったタッチパネルが設けられている。また、本実施形態に係るタッチパネルは、略矩形の形状をしている。前面タッチセンサ３０ａは、表示部２８に重ねて配置されており、表示部２８の表示面に対応する形状及び大きさの略矩形の検出面を備えている。そして、本実施形態では、前面タッチセンサ３０ａは、物体の接触を検出した場合は、その物体の接触位置を検出位置として検出する。なお、前面タッチセンサ３０ａは、必ずしも物体が検出面に接触した場合だけ物体の位置を検出するのではなく、検出面上の検出可能範囲内まで物体が近接した場合に、当該物体の検出面に対する位置を検出してもよい。また、本実施形態に係る前面タッチセンサ３０ａは、物体の検出面に接触している部分の面積（接触面積）を検出可能なセンサである。
【００２７】
背面タッチセンサ３０ｂは、筐体１２の背面側に、前面タッチセンサ３０ａと対向するように配置されている。また、本実施形態では、背面タッチセンサ３０ｂは、筐体１２の正面から見て、背面タッチセンサ３０ｂの左半分が前面タッチセンサ３０ａの左半分に対向し、背面タッチセンサ３０ｂの右半分が前面タッチセンサ３０ａの右半分に対向するように配置されている。本実施形態に係る背面タッチセンサ３０ｂは、Ｘ軸方向の長さが前面タッチセンサ３０ａと略同じであり、Ｙ軸方向の長さが前面タッチセンサ３０ａよりも短い、略矩形の検出面を備えており、前面タッチセンサ３０ａと同様に、所定の時間間隔で、検出面上における物体の位置を検出する。すなわち、表示部２８の表示面、前面タッチセンサ３０ａの検出面、及び背面タッチセンサ３０ｂの検出面は、それぞれ筐体１２のＸＹ平面と平行な向きに配置され、筐体１２の厚さ方向（Ｚ軸方向）に沿って直線状に並んでいる。また、本実施形態に係る背面タッチセンサ３０ｂは、前面タッチセンサ３０ａと同様、物体の検出面に接触している部分の面積（接触面積）を検出可能なセンサである。
【００２８】
本実施形態に係る前面タッチセンサ３０ａや背面タッチセンサ３０ｂは、例えば静電容量式や感圧式、光学式など、検出面上における物体の位置を検出可能なデバイスであれば、どのような方式のものであってもよい。なお、本実施形態では、前面タッチセンサ３０ａも背面タッチセンサ３０ｂも、複数箇所（例えば、最大８箇所）での物体の接触を検知可能な多点検知型タッチセンサであることとする。また、本実施形態に係る前面タッチセンサ３０ａや背面タッチセンサ３０ｂは、物体が検出面を押圧する強さ（圧力）を検出可能なセンサであってもよい。
【００２９】
なお、前面タッチセンサ３０ａと背面タッチセンサ３０ｂとは、互いに対向して配置されていれば、上述のように、背面タッチセンサ３０ｂが、Ｘ軸方向の長さについては前面タッチセンサ３０ａと略同じである必要も、Ｙ軸方向の長さについては前面タッチセンサ３０ａよりも短い必要もない。例えば、前面タッチセンサ３０ａと背面タッチセンサ３０ｂとが、互いに略同型、略同サイズであっても構わない。
【００３０】
本実施形態では、表示部２８内における情報の表示位置、前面タッチセンサ３０ａ内における物体の検出位置、背面タッチセンサ３０ｂ内における物体の検出位置を、同一の座標系におけるＸ座標値とＹ座標値との組合せで表現することとする。すなわち、前面タッチセンサ３０ａ内の位置と、当該位置に重なる表示部２８内の位置とは、Ｘ座標値とＹ座標値の組合せが同一となる。また、背面タッチセンサ３０ｂ内の位置と、当該位置をＺ軸方向に沿って表示部２８の表示面に投影した位置とは、Ｘ座標値とＹ座標値の組合せが同一となる。
【００３１】
また、本実施形態では、表示部２８及び前面タッチセンサ３０ａの左下端の座標値は（Ｘ０，Ｙ０）、表示部２８及び前面タッチセンサ３０ａの右下端の座標値は（Ｘ１，Ｙ０）、表示部２８及び前面タッチセンサ３０ａの左上端の座標値は（Ｘ０，Ｙ１）、表示部２８及び前面タッチセンサ３０ａの右上端の座標値は（Ｘ１，Ｙ１）であることとする。また、本実施形態では、座標値をピクセル単位で表現することとする。
【００３２】
なお、以下の説明では、ユーザは自分の指を前面タッチセンサ３０ａや背面タッチセンサ３０ｂに接触させて操作入力を行うこととするが、これに限らず、ユーザはスタイラスなど手で持った物体を検出面に触れさせることで操作入力を行うようにしてもよい。
【００３３】
操作部３２は、例えば、タッチセンサ３０とともに、ユーザが情報処理装置１０に対して行う操作入力に用いる操作部材の一種である。図１Ａには、操作部３２を構成する操作部材の一例として、情報処理装置１０の筐体１２の前面に配置されたボタン４０及びアナログスティック４２が図示されている。なお、情報処理装置１０は、操作部３２を構成する操作部材として、例えば、スイッチや、筐体１２の上側面に配置されたボタン４０などを備えていてもよい。
【００３４】
カードスロット３４は、各種のメモリカード等の情報記憶媒体を挿抜可能なスロットであり、制御部２０からの指示に従って、カードスロット３４に挿入されるメモリカード等の情報記憶媒体に記録されたプログラムやデータなどの読み取りや、挿入されるメモリカード等の情報記憶媒体へのデータの書き込みを行う。本実施形態では、カードスロット３４は、情報処理装置１０の筐体の上側面に配置されている。なお、情報処理装置１０は、複数のカードスロット３４を備えていてもよく、これら複数のカードスロット３４が、互いに異なる規格である情報記憶媒体を挿抜可能であってもよい。
【００３５】
方向検出部３６は、筐体１２の向きを検出するセンサである。本実施形態では、方向検出部３６は、例えば、重力加速度の向きを検出することができる３軸加速度センサであり、方向検出部３６によって筐体１２が鉛直方向に対してどのような向きになっているかを検出することができる。方向検出部３６は、本実施形態では、所定の時間間隔で、筐体１２が鉛直方向に対してどのような向きになっているかを検出する。
【００３６】
図３は、本実施形態に係る情報処理装置１０で実現される機能の一例を示す機能ブロック図である。図３に示すように、情報処理装置１０は、機能的には、検出結果受付部５０、処理実行部５２、位置補正部５４、選択肢特定部５６、を含んでいる。これらの要素は、コンピュータである情報処理装置１０で、本実施形態に係るプログラムが実行されることにより実現される。このプログラムには、例えば、図３に示されている要素となるようコンピュータを制御する命令が含まれている。また、このプログラムは、コンピュータ通信ネットワーク経由で通信インタフェースを介して他のコンピュータからダウンロードされて、情報処理装置１０に提供されてもよいし、光ディスク（例えば、ＣＤ−ＲＯＭ、ＤＶＤ−ＲＯＭ、Ｂｌｕ−ｒａｙディスクなど）、ＵＳＢメモリ、メモリカード等のコンピュータ読み取り可能な情報記憶媒体に格納され、そこから情報処理装置１０に提供されるようにしてもよい。
【００３７】
本実施形態に係る情報処理装置１０のユーザは、前面タッチセンサ３０ａや背面タッチセンサ３０ｂの検出面上に自分の指を接触させたり、検出面上に指を接触させた状態で指をスライドさせたりすることで、情報処理装置１０に対する操作入力を行う。以下、ユーザが検出面上の一点に短い時間だけ指を接触させる操作をタップ操作と呼ぶ。また、ユーザは、ボタン４０を押下する行うことでも、情報処理装置１０に対する操作入力を行うことができるようになっている。
【００３８】
図４は、情報処理装置１０の表示部２８に表示される画面の一例を示す図である。図４には、２つの選択肢画像６０が横に並んで配置された画面が示されている。図５は、情報処理装置１０の表示部２８に表示される画面の別の一例を示す図である。図５には、１つの選択肢画像６０が占める領域内に別の選択肢画像６０が配置された画面が示されている。図６は、情報処理装置１０の表示部２８に表示される画面のさらに別の一例を示す図である。図６には、１つの選択肢画像６０が占める領域内に別の選択肢画像６０が２つ配置された画面が示されている。
【００３９】
本実施形態では、図４、図５、及び、図６に例示されているような、複数の選択肢画像６０が配置された画面が表示部２８に表示されている際に、ユーザは、いずれかの選択肢画像６０を選択するタップ操作を行うことができるようになっている。そして、ユーザがいずれかの選択肢画像６０に対してタップ操作を行うと、情報処理装置１０は、ユーザによりタップされた選択肢画像６０が示す内容に応じた処理を実行する。
【００４０】
以下、前面タッチセンサ３０ａへのタップ操作による、選択肢画像６０の選択操作がユーザにより行われた際の、情報処理装置１０の動作について説明する。
【００４１】
本実施形態では、上述のように、タッチセンサ３０が、所定の時間間隔で、検出面上における物体の接触を順次検出するとともに、物体の接触位置に対応する検出結果（検出位置）を検出結果受付部５０に出力する。そのため、ユーザによる選択肢画像６０に対するタップ操作が行われると、前面タッチセンサ３０ａが、ユーザの指の接触を検出して、検出結果（本実施形態では、例えば、検出される検出位置に対応する検出位置データ）を検出結果受付部５０に出力することとなる。すると、検出結果受付部５０が、前面タッチセンサ３０ａから出力される、検出位置データを受け付ける。本実施形態では、検出位置データには、例えば、Ｘ座標値とＹ座標値との組合せで表現される、前面タッチセンサ３０ａでの検出位置の座標（以下、検出位置座標と呼ぶ。）、及び、前面タッチセンサ３０ａがタッチされたか背面タッチセンサ３０ｂがタッチされたかを示すタッチフラグ、が含まれている。ここでは、前面タッチセンサ３０ａへのタップ操作が行われた場面を想定しているので、検出位置データに含まれるタッチフラグは、前面タッチセンサ３０ａがタッチされたことを示すこととなる。
【００４２】
処理実行部５２は、各種の情報（例えば、図４、図５、及び、図６に示されているような画面）を生成して、表示部２８に表示されるよう制御する。また、処理実行部５２は、後述する選択肢特定部５６により選択肢画像６０が特定された際には、特定された選択肢画像６０に応じた処理を実行し、処理結果が表示されるよう制御する。
【００４３】
本実施形態では、選択肢画像６０は、上辺及び下辺がＸ軸方向に延伸しており、左辺及び右辺がＹ軸方向に延伸している、略矩形の画像である。そして、本実施形態では、処理実行部５２は、選択肢画像６０が配置された画面が表示部２８に表示されるよう制御する際に、併せて、各選択肢画像６０について、選択肢画像６０が占める領域が含まれる選択肢対応領域６２を設定する。
【００４４】
本実施形態では、例えば、処理実行部５２は、表示されている選択肢画像６０に対応付けられる選択肢対応領域６２の縦の長さを、選択肢画像６０の縦の長さが６０ピクセル（１０ピクセルが２ミリメートルである場合は、１２ミリメートルに相当）未満である場合は８０ピクセル（１０ピクセルが２ミリメートルである場合は、１６ミリメートルに相当）となるよう設定し、６０ピクセル以上である場合は２０ピクセル長くなるよう設定する。また、処理実行部５２は、同様に、表示されている選択肢画像６０に対応付けられる選択肢対応領域６２の横の長さを、選択肢画像６０の横の長さが６０ピクセル未満である場合は８０ピクセルとなるよう設定し、６０ピクセル以上である場合は２０ピクセル長くなるよう設定する。そして、処理実行部５２は、選択肢対応領域６２の位置を、対応付けられる選択肢画像６０と重心が重なる位置に決定する。
【００４５】
例えば、図４に示されているように選択肢画像６０が近接して配置されている場合や、図５や図６に示されているように選択肢画像６０が占める領域内に他の選択肢画像６０が配置されている場合などには、互いに異なる複数の選択肢画像６０のそれぞれに対応付けられる選択肢対応領域６２が重なることがある。以下、選択肢対応領域６２が複数の選択肢画像６０について重なる領域を重複領域と呼ぶこととする。
【００４６】
位置補正部５４は、検出位置座標のＸ座標値及びＹ座標値の少なくとも一方を補正する。本実施形態では、例えば、位置補正部５４は、Ｙ軸正方向にずれるよう、検出位置座標のＹ座標値を補正する。また、本実施形態では、例えば、位置補正部５４は、例えば、表示部２８の上下の縁からの距離が所定値以内である領域については、縁に近づくほど補正量が小さくなるよう、検出位置座標のＹ座標値を補正する。
【００４７】
より具体的には、例えば、位置補正部５４は、検出位置座標のＹ座標値Ｙｐを、当該Ｙ座標値ＹｐがＹ０以上（Ｙ０＋１０）未満である場合は（Ｙｐ−Ｙ０）ピクセル、当該Ｙ座標値Ｙｐが（Ｙ０＋１０）以上（Ｙ１−１０）未満である場合は１０ピクセル、当該Ｙ座標値Ｙｐが（Ｙ１−１０）以上Ｙ１以下である場合は（Ｙ１−Ｙｐ）ピクセル増加させる。以下、位置補正部５４による補正後の位置座標を補正位置座標、補正位置座標により表現される位置を補正位置と呼ぶこととする。
【００４８】
そして、選択肢特定部５６は、補正位置座標のＸ座標値とＹ座標値との組合せが、少なくとも１つの選択肢対応領域６２内である場合は、補正位置と、選択肢対応領域６２と、の位置関係に基づいて、表示部２８に表示されている選択肢画像６０のうちのいずれかを、ユーザによるタップ操作が行われた選択肢画像６０として特定する。ここで、補正位置が含まれる選択肢対応領域６２が１つである場合は、選択肢特定部５６は、当該選択肢対応領域６２に対応付けられる選択肢画像６０を特定する。一方、補正位置が含まれる選択肢対応領域６２が複数である場合、すなわち、補正位置が重複領域に含まれる場合は、補正位置と、重複領域が含まれる選択肢対応領域６２（以下、候補領域と呼ぶ。）のそれぞれの位置と、に基づいて、候補領域のうちのいずれかに対応付けられる選択肢画像６０を特定する。
【００４９】
本実施形態では、選択肢特定部５６は、例えば、候補領域のそれぞれについて、補正位置から選択肢対応領域６２の代表図形（例えば、重心等の代表点、最近隣辺等の代表辺、など）までの距離を算出する。そして、選択肢特定部５６は、複数の候補領域のうちから、算出された距離が最も短い選択肢対応領域６２を特定する。
【００５０】
そして、処理実行部５２は、選択肢特定部５６により特定された選択肢対応領域６２に対応付けられる選択肢画像６０に応じた処理を実行する。図４の例で、選択肢特定部５６により文字列「はい」が配置された選択肢画像６０が特定された場合には、処理実行部５２は、例えば、情報処理装置１０で実行されているプログラムの終了処理を実行する。
【００５１】
以上説明したように、本実施形態に係る情報処理装置１０では、複数の選択肢画像６０が配置された画面が表示部２８に表示されている際に、ユーザによりいずれかの選択肢画像６０を選択する、前面タッチセンサ３０ａに対するタップ操作が行われると、（１）前面タッチセンサ３０ａから検出結果受付部５０への検出位置データの出力、（２）位置補正部５４による、検出位置座標を補正することによる補正位置座標の算出、（３）選択肢特定部５６による、補正位置座標に基づく選択肢画像６０の特定、（４）処理実行部５２による、特定された選択肢画像６０に応じた処理の実行、の順に処理が実行されることとなる。
【００５２】
なお、本実施形態に係る情報処理装置１０において、複数の選択肢画像６０が配置された画面が表示部２８に表示されている際に、背面タッチセンサ３０ｂに対するタップ操作がユーザにより行われた場合は、背面タッチセンサ３０ｂでの検出位置のＸ座標値とＹ座標値により表現される検出位置座標に基づいて、前面タッチセンサ３０ａに対するタップ操作が行われた場合と同様にして、上述の処理を実行するようにしても構わない。
【００５３】
また、本実施形態に係る情報処理装置１０において、処理実行部５２が、選択肢画像６０が配置された画面が表示部２８に表示されるよう制御する際に、各選択肢画像６０について、前面タッチセンサ３０ａに対応付けられる選択肢対応領域６２（前面用選択肢対応領域）と、背面タッチセンサ３０ｂに対応付けられる選択肢対応領域６２（背面用選択肢対応領域）の両方を設定するようにしてもよい。また、処理実行部５２は、背面用選択肢対応領域のサイズが、前面用選択肢対応領域のサイズよりも大きく、また、背面用選択肢対応領域が前面用選択肢対応領域を包含する領域となるよう、前面用選択肢対応領域及び背面用選択肢対応領域を設定するようにしてもよい。そして、選択肢特定部５６が、前面タッチセンサ３０ａに対するタップ操作が行われた場合（検出位置データに含まれるタッチフラグが、前面タッチセンサ３０ａがタッチされたことを示している場合）には、補正位置が含まれる前面用選択肢対応領域に対応付けられる選択肢画像６０を特定し、背面タッチセンサ３０ｂに対するタップ操作が行われた場合（検出位置データに含まれるタッチフラグが、背面タッチセンサ３０ｂがタッチされたことを示している場合）には、補正位置が含まれる背面用選択肢対応領域に対応付けられる選択肢画像６０を特定するようにしてもよい。
【００５４】
以上のように、本実施形態に係る情報処理装置１０では、選択肢画像６０よりも広い領域が選択肢対応領域６２として設定されるので、情報処理装置１０のユーザは選択肢画像６０の選択を容易に行うことができることとなる。そして、本実施形態に係る情報処理装置１０では、補正位置が複数の選択肢対応領域６２が重なる重複領域内であったとしても、選択肢特定部５６によって上述のようにしていずれかの選択肢画像６０が特定されることとなる。また、例えば、図６に示されているような画面が表示部２８に表示されている状況において、補正位置が３つ以上の選択肢対応領域６２が重なる重複領域内の位置となったとしても、選択肢特定部５６によっていずれかの選択肢画像６０が特定されることとなる。
【００５５】
また、情報処理装置１０のユーザは、タップ操作を行うべき位置の２ミリメートル（１０ピクセルが２ミリメートルである場合は、１０ピクセルに相当）程度下の位置に対してタップ操作を行う傾向にあるということが、実験によって確認された。本実施形態に係る情報処理装置１０では、上述のように、補正位置が、検出位置の上方に設定されるので、位置補正部５４による検出位置の補正を行わない場合と比較して、ユーザによるタップ操作のミスが発生する可能性が減るものと期待される。
【００５６】
また、本実施形態に係る情報処理装置１０では、表示部２８の上下の縁からの距離が所定値以内である領域については、縁に近づくほど補正量が小さくなるので、情報処理装置１０のユーザは、上下の縁付近に対するタップ操作も容易に行うことができることとなる。
【００５７】
なお、本発明は上述の実施形態に限定されるものではない。
【００５８】
例えば、選択肢特定部５６が、上述の規則とは異なる規則に従って、選択肢画像６０を特定するようにしてもよい。例えば、選択肢特定部５６が、複数の候補領域のそれぞれに対応付けられる選択肢画像６０のうちから、面積が最も小さな選択肢画像６０を特定するようにしてもよい。あるいは、例えば、選択肢特定部５６が、複数の候補領域のうち面積が最も小さな候補領域を特定した上で、特定された候補領域に対応付けられる選択肢画像６０を特定するようにしてもよい。
【００５９】
また、例えば、選択肢特定部５６が、複数の要素（例えば、補正位置から選択肢対応領域６２の代表図形までの距離、選択肢画像６０が表示されているサイズ、等）に基づいて算出される評価値（例えば、補正位置から選択肢対応領域６２の代表図形までの距離が短いほど評価が高く、選択肢画像６０が表示されている面積が小さいほど評価が高くなるよう設定される評価値）に基づいて、選択肢画像６０を特定するようにしてもよい。より具体的には、例えば、選択肢特定部５６は、複数の候補領域のうちから、補正位置から候補領域の代表図形までの距離の逆数と、候補領域に対応付けられる選択肢画像６０が表示されている面積の逆数と、の和又は積である評価値が最も大きな候補領域を特定した上で、特定された候補領域に対応付けられる選択肢画像６０を特定するようにしてもよい。なお、選択肢特定部５６は、複数の候補領域のうちから、補正位置から候補領域の代表図形までの距離と、候補領域に対応付けられる選択肢画像６０が表示されている面積と、の和又は積である評価値が最も小さな候補領域を特定した上で、特定された候補領域に対応付けられる選択肢画像６０を特定するようにしてももちろん構わない。
【００６０】
また、例えば、選択肢特定部５６が、まず、複数の候補領域のうちから条件に該当する候補領域を順次絞り込んでいくことによって特定される候補領域に対応付けられる選択肢画像６０を特定するようにしてもよい。より具体的には、例えば、選択肢特定部５６が、候補領域に対応付けられる選択肢画像６０が表示されている面積が所定値以下である候補領域を絞り込み候補領域として特定した上で、補正位置から候補領域の代表図形までの距離が最も短い絞り込み候補領域を特定して、特定された絞り込み候補領域に対応付けられる選択肢画像６０を特定するようにしてもよい。
【００６１】
また、位置補正部５４が、タップ操作が行われた位置に応じて、検出位置座標のＸ座標値に関しても補正を行うようにしてもよい。例えば、表示部２８の左側の領域（例えば、左半分の領域）がタップされた際には、検出位置座標のＹ座標値を増加させるとともに、検出位置座標のＸ座標値を増加させた値を補正位置座標のＸ座標値として決定する（検出位置を右上にずらした位置を補正位置として設定する）ようにし、表示部２８の右側の領域（例えば、右半分の領域）がタップされた際には、検出位置座標のＹ座標値を増加させるとともに、検出位置座標のＸ座標値を減少させた値を補正位置座標のＸ座標値として決定する（検出位置を左上にずらした位置を補正位置として設定する）ようにしてもよい。
【００６２】
例えば、図７に示すような、情報処理装置１０のユーザが、情報処理装置１０を把持して親指７０で前面タッチセンサ３０ａを操作する状況では、ユーザは、前面タッチセンサ３０ａの左側（すなわち、表示部２８の左側）については、左の親指７０でタップ操作を行うべき位置Ｐ１の左下の位置Ｐ２に対してタップ操作を行い、前面タッチセンサ３０ａの右側（すなわち、表示部２８の右側）については、右の親指７０でタップ操作を行うべき位置Ｐ３の右下の位置Ｐ４に対してタップ操作を行う傾向にあると考えられる。そのため、上述の補正を行うことによって、ユーザによるタップ操作のミスが発生する可能性が減るものと期待される。
【００６３】
なお、図７に示すように、情報処理装置１０のユーザは、情報処理装置１０を把持した状態では、表示部２８の下の縁からの距離が所定値ｄ以下である領域しか、親指７０でタップされない可能性が高いと思われる。そこで、表示部２８の下の縁からの距離が所定値ｄ以下である領域についてだけ、位置補正部５４が、表示部２８の左側の領域がタップされた際には、検出位置を右上にずらした位置を補正位置として設定し、表示部２８の右側の領域がタップされた際には、検出位置を左上にずらした位置を補正位置として設定するようにしてもよい。また、このようにするとともに、例えば、表示部２８の下の縁からの距離が所定値ｄより大きい領域については、位置補正部５４が、表示部２８の左側の領域がタップされた際には、検出位置を左上にずらした位置を補正位置として設定するようにし、表示部２８の右側の領域がタップされた際には、検出位置を右上にずらした位置を補正位置として設定するようにしてもよい。
【００６４】
また、位置補正部５４が、表示部２８の全領域について、表示部２８の左側の領域がタップされた際には、検出位置を左上にずらした位置を補正位置として設定するようにし、表示部２８の右側の領域がタップされた際には、検出位置を右上にずらした位置を補正位置として設定するようにしてもよい。このようにすれば、例えば、ユーザの右手の指（例えば、右手の人差し指等）で表示部２８の左側の領域がタップされ、ユーザの左手の指（例えば、左手の人差し指等）で表示部２８の右側の領域がタップされるような場合などに好適である。
【００６５】
また、例えば、図８に示すような、情報処理装置１０のユーザが、情報処理装置１０を把持して中指７２で背面タッチセンサ３０ｂを操作する状況では、ユーザは、表示部２８の右側（図８における左側）については、右の中指７２でタップ操作を行うべき位置Ｐ５の右上の位置Ｐ６（図８においては、位置Ｐ５の左上の位置Ｐ６）に対してタップ操作を行い、表示部２８の左側（図８における右側）については、左の中指７２でタップ操作を行うべき位置Ｐ７の左上の位置Ｐ８（図８においては、位置Ｐ７の右上の位置Ｐ８）に対してタップ操作を行う傾向にあると考えられる。
【００６６】
そのため、例えば、位置補正部５４が、情報処理装置１０の正面から見て背面タッチセンサ３０ｂの左側の領域（図８における右側の領域）がタップされた際には、検出位置座標のＹ座標値を減少させるとともに検出位置座標のＸ座標値を増加させた値を補正位置座標のＸ座標値として決定する（検出位置を表示部２８の正面から見て右下（図８においては左下）にずらした位置を補正位置として設定する）ようにし、情報処理装置１０の正面から見て背面タッチセンサ３０ｂの右側の領域（図８における左側の領域）がタップされた際には、検出位置座標のＹ座標値を減少させるとともに、検出位置座標のＸ座標値を減少させた値を補正位置座標のＸ座標値として決定する（検出位置を左下（図８においては右下）にずらした位置を補正位置として設定する）ようにしてもよい。また、当該補正を、例えば、上述のように、背面タッチセンサ３０ｂ内の一部の領域（例えば、背面タッチセンサ３０ｂの上の縁からの距離が所定値ｄ以下である領域）についてのみ行うようにしてもよい。
【００６７】
また、例えば、情報処理装置１０が、方向検出部３６での検出結果や背面タッチセンサ３０ｂでの検出結果等に基づいて、情報処理装置１０が左手で把持されているか右手で把持されているかを判定するようにしてもよい。情報処理装置１０は、例えば、左に傾いていることが検出された場合には、左手で把持されていると判定し、右に傾いていることが検出された場合には、右手で把持されていると判定するようにしてもよい。また、情報処理装置１０は、例えば、背面タッチセンサ３０ｂで、情報処理装置１０の正面から見て左側の位置が検出された場合には左手で把持されていると判定し、情報処理装置１０の正面から見て右側の位置が検出された場合には右手で把持されていると判定するようにしてもよい。そして、位置補正部５４が、左手で把持されていると判定された場合には、検出位置を左上にずらした位置を補正位置として設定するようにし、右手で把持されていると判定された場合には、検出位置を右上にずらした位置を補正位置として設定するようにしてもよい。
【００６８】
また、位置補正部５４による検出位置の補正は行われる必要がなく、選択肢特定部５６が、検出位置と選択肢対応領域６２との位置関係に基づいて選択肢画像６０を特定するようにしてもよい。
【００６９】
また、処理実行部５２が、選択肢対応領域６２の重心の位置が、選択肢画像６０の重心からずれるようにして（例えば、選択肢対応領域６２の重心が選択肢画像６０の重心の下に位置するようにして）選択肢対応領域６２を設定するようにしてもよい。
【００７０】
また、上述の実施形態に係る情報処理装置１０では、表示部２８の上方（Ｙ軸正方向）が予め設定されているが、情報処理装置１０が、例えば、方向検出部３６による検出結果に基づいて表示部２８の上方を特定するようにしてもよい。すなわち、位置補正部５４が、検出位置を方向検出部３６により重力加速度の向きの逆方向として特定される方向にずらした位置を補正位置として算出するようにしてもよい。
【００７１】
また、情報処理装置１０が、例えば、ハードディスクドライブ、マイク、スピーカ、カメラ、などを備えていてもよい。また、上述の情報処理装置１０が、複数の筐体から構成されていてもよい。
【００７２】
また、上述の具体的な文字列や数値、図面中の具体的な文字列や数値は例示であり、これらの文字列や数値には限定されない。
【図１Ａ】
2013089012.tif 000003
【図１Ｂ】
2013089012.tif 000004
【図２】
2013089012.tif 000005
【図３】
2013089012.tif 000006
【図４】
2013089012.tif 000007
【図５】
2013089012.tif 000008
【図６】
2013089012.tif 000009
【図７】
2013089012.tif 000010
【図８】
2013089012.tif 000011
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
表示手段に選択肢が表示されるよう制御する表示制御手段と、
タッチセンサでの検出位置に対応付けられる前記表示手段内の位置である検出対応位置が、選択肢が表示されている領域が含まれる領域である対応領域が複数の選択肢について重なる領域内である場合に、表示されている領域のサイズ又は前記対応領域のサイズに基づいて当該複数の選択肢のうちのいずれかを特定する選択肢特定手段と、
を含むことを特徴とする情報処理装置。
【請求項２】
前記選択肢特定手段は、前記検出対応位置が、前記対応領域が複数の選択肢について重なる領域内である場合に、当該複数の選択肢のうちから、表示されている領域のサイズが最も小さな選択肢、又は、対応領域のサイズが最も小さな選択肢を特定する、
ことを特徴とする請求項１に記載の情報処理装置。
【請求項３】
前記選択肢特定手段は、前記検出対応位置が、前記対応領域が複数の選択肢について重なる領域内である場合に、当該複数の選択肢のうちから、前記検出対応位置から前記対応領域内の代表図形までの長さと、表示されている領域のサイズ又は対応領域のサイズと、に基づいて算出される評価値における評価が最も高い選択肢を特定し、
前記評価値は、前記検出対応位置から前記対応領域内の代表図形までの長さが短いほど評価が高くなり、表示されている領域のサイズ又は対応領域のサイズが小さいほど評価が高くなるよう算出される、
ことを特徴とする請求項１に記載の情報処理装置。
【請求項４】
前記検出対応位置は、前記タッチセンサでの検出位置を前記表示手段に投影した位置が上側として設定されている向きに補正された位置である、
ことを特徴とする請求項１から３のいずれか一項に記載の情報処理装置。
【請求項５】
前記タッチセンサでの検出位置を前記表示手段に投影した位置が、前記表示手段の左側であるか右側であるかによって、前記投影した位置に対する前記検出対応位置の向きが異なる、
ことを特徴とする請求項１から４のいずれか一項に記載の情報処理装置。
【請求項６】
前記表示手段の縁からの距離が所定値以内である領域については、前記検出対応位置と、前記タッチセンサでの検出位置を前記表示手段に投影した位置と、の間の距離が、縁に近づくほど短くなる、
ことを特徴とする請求項４又は５に記載の情報処理装置。
【請求項７】
前記タッチセンサとして、前記表示手段と重なる前面タッチセンサと、前記前面タッチセンサに対向して配置される背面タッチセンサと、を備えており、
選択肢が表示されている領域のサイズに対する選択肢に対応する対応領域のサイズの比率は、前記前面タッチセンサで物体の位置が検出された場合よりも、前記背面タッチセンサで物体の位置が検出された場合の方が大きくなる、
ことを特徴とする請求項１から６のいずれか一項に記載の情報処理装置。
【請求項８】
表示部と、
タッチセンサと、
制御部と、を含み、
前記制御部は、
前記表示部に選択肢が表示されるよう制御し、
前記タッチセンサでの検出位置に対応付けられる前記表示手段内の位置である検出対応位置が、選択肢が表示されている領域が含まれる領域である対応領域が複数の選択肢について重なる領域内である場合に、表示されている領域のサイズ又は前記対応領域のサイズに基づいて当該複数の選択肢のうちのいずれかを特定する、
ことを特徴とする情報処理装置。
【請求項９】
表示手段に選択肢が表示されるよう制御する表示制御ステップと、
タッチセンサでの検出位置に対応付けられる前記表示手段内の位置である検出対応位置が、選択肢が表示されている領域が含まれる領域である対応領域が複数の選択肢について重なる領域内である場合に、表示されている領域のサイズ又は前記対応領域のサイズに基づいて当該複数の選択肢のうちのいずれかを特定する選択肢特定ステップと、
を含むことを特徴とする情報処理方法。
【請求項１０】
表示手段に選択肢が表示されるよう制御する表示制御手段、
タッチセンサでの検出位置に対応付けられる前記表示手段内の位置である検出対応位置が、選択肢が表示されている領域が含まれる領域である対応領域が複数の選択肢について重なる領域内である場合に、表示されている領域のサイズ又は前記対応領域のサイズに基づいて当該複数の選択肢のうちのいずれかを特定する選択肢特定手段、
としてコンピュータを機能させることを特徴とするプログラム。
【請求項１１】
表示手段に選択肢が表示されるよう制御する表示制御手段、
タッチセンサでの検出位置に対応付けられる前記表示手段内の位置である検出対応位置が、選択肢が表示されている領域が含まれる領域である対応領域が複数の選択肢について重なる領域内である場合に、表示されている領域のサイズ又は前記対応領域のサイズに基づいて当該複数の選択肢のうちのいずれかを特定する選択肢特定手段、
としてコンピュータを機能させることを特徴とするプログラムを記憶したコンピュータ読み取り可能な情報記憶媒体。
【請求項１２】
（削除）
【国際調査報告】
2013089012.tif 000012
2013089012.tif 000013
2013089012.tif 000014
2013089012.tif 000015
2013089012.tif 000016
2013089012.tif 000017
2013089012.tif 000018